(57)【要約】【課題】  本発明は、移動量の小さな作動部材でスイッチング操作時の応答速度を速めることができると共に、構造が簡単で製造が容易なアクチュエータを用いたスイッチ装置を提供すること。【解決手段】  第１の実施の形態のスイッチ装置１のアクチュエータ４には、外部の作動部材６が押圧操作可能な押圧部である凸部４ｄが形成され、支持部４ｂを筐体２の回動支持部２ｃに回動可能に支持した状態で、作動部材６を一方の側壁２ａと平行な矢印Ｄの一方向に移動させると、凸部４ｄが一方の側壁２ａ側に押圧されてアクチュエータ４が支持部４ｂを支点として回動可能になっており、作動部材６を矢印Ｄの一方向に移動させてアクチュエータ４を矢印Ｅ方向に回動する時の凸部４ｄの回動量が、作動部材６の一方向への移動量よりも大きい。【選択図】        図１
2006351237.tif 000002
【特許請求の範囲】
【請求項１】
内部にスイッチ回路が形成された筐体と、一端部側に支持部が形成されて他端部側が自由端状に形成されたアクチュエータと、前記筐体の一方の側壁から外部に所定高さで突出して前記アクチュエータの回動により前記筐体内部に押し込まれて前記スイッチ回路を切り換え可能なスイッチ操作部とを備え、
前記アクチュエータには、外部の作動部材が押圧操作可能な押圧部が形成され、前記支持部を前記筐体に回動可能に支持した状態で、前記作動部材を前記一方の側壁と平行な一方向に移動させると、前記押圧部が前記一方の側壁に近づく方向に押圧されて前記アクチュエータが前記支持部を支点として回動可能になっており、前記作動部材を一方向に移動させて前記アクチュエータを回動させた時の前記押圧部の回動量が、前記作動部材の前記一方向への移動量よりも大きくなるようにしたことを特徴とするスイッチ装置。
【請求項２】
前記アクチュエータは、弾性を有する板状部材からなり、前記押圧部は、前記一端部側と前記他端部側との間に、前記筐体の一方の側壁から離れる方向に逆Ｖ字状に突出形成した凸部からなることを特徴とする請求項１記載のスイッチ装置。
【請求項３】
前記凸部は、前記一端部側に対する突出角度（α）が４５度以上に形成されていることを特徴とする請求項２記載のスイッチ装置。
【請求項４】
内部にスイッチ回路が形成された筐体と、一端部側に支持部が形成されて他端部側が自由端状に形成されたアクチュエータと、前記筐体の一方の側壁から外部に所定高さで突出して前記アクチュエータの回動により前記筐体内部に押し込まれて前記スイッチ回路を切り換え可能なスイッチ操作部とを備え、
前記アクチュエータには、外部の作動部材が押圧操作可能な押圧部が形成され、前記支持部を前記筐体に回動可能に支持した状態で、前記作動部材を前記一方の側壁と平行な一方向に移動させると、前記押圧部が前記一方の側壁に近づく方向に押圧されて前記アクチュエータが前記支持部を支点として回動可能になっており、前記アクチュエータの前記他端部側には、前記他端部側を前記一方の側壁から離れる方向に弾性付勢する付勢部材が配設され、
前記操作部材を、前記一方向に移動させて前記押圧部を押圧した状態から前記一方向と反対方向の他方向に戻すと、前記弾性部材の付勢力で前記アクチュエータが前記一方の側壁から離れる方向に回動することを特徴とするスイッチ装置。
【請求項５】
前記アクチュエータは、弾性を有する板状部材からなり、前記付勢部材は、前記他端部側の一部を前記筐体の前記一方の側壁側に片持ち状に切り曲げ形成したことを特徴とする請求項４記載のスイッチ装置。
【請求項６】
前記筐体の一方の側壁には、前記付勢部材の自由端部が当接可能な当接部材が配設され、前記作動部材によって前記押圧部が前記一方の側壁に近づく方向に押圧されると、前記付勢部材の前記自由端部が前記当接部材によって動きが規制されることを特徴とする請求項５記載のスイッチ装置。
【請求項７】
前記付勢部材の前記自由端部を前記当接部材に当接した状態で、前記作動部材を前記一方向に移動させて前記押圧部を押圧すると、前記付勢部材が反転して前記アクチュエータの前記他端部側に対する付勢力が弱くなり、前記他端部側が前記スイッチ操作部を前記筐体内部に押し込む方向に弾性変形することを特徴とする請求項６記載のスイッチ装置。
【発明の詳細な説明】
【技術分野】
【０００１】
本発明は、スイッチ装置に係わり、外部の作動部材を一方向に移動操作することによりアクチュエータが作動部材の移動方向と直交する方向に回動してスイッチ回路が切り換わるスイッチ装置に関する。
【背景技術】
【０００２】
従来のスイッチ装置を特許文献１に基づいて図６、図７で説明すると、従来のスイッチ装置２０は、筐体２１が配設され、この筐体２１の内部に所定のスイッチ回路（図示せず）が形成されている。前記筐体２１には、内部のスイッチ回路に接続する複数の端子部２２が、図示下方側に延出形成されている。
また、アクチュエータ２３は、金属板からなり、図示左側の取付脚部２４が筐体２１に圧入等で固着されて筐体２１と一体化されている。
【０００３】
前記アクチュエータ２３は、取付脚部２４が略直角に図示水平状に屈曲されて支持部２５が形成され、この支持部２５の先部には、取付脚部２４の曲げ方向と反対方向に角度Ａ（略３５度）で屈曲形成して立上がり部２６が形成されている。
また、立上がり部２６の先側には、支持部２５と略平行な接触部形成部２７が形成されている。
前記接触部形成部２７の表面側には、傾斜状の立上がり部２６の延長線上に作動体接触部２８が突出形成されている。
【０００４】
また、接触部形成部２７の下面には、筐体２１から所定高さで上方に突出するスイッチ操作部３０が形成され、このスイッチ操作部３０が接触部形成部２７に押圧されると、下方に降下して、筐体２１内部のスイッチ回路（図示せず）が切り換わるようになっている。
また、スイッチ装置２０の外部には、略水平状のアクチュエータ２３の支持部２５上に、矢印Ｂ方向に移動操作可能な作動部材３１が配設されている。
【０００５】
このような従来のスイッチ装置２０は、図６に示す初期状態において、スイッチ操作部３０が所定高さに上昇して、アクチュータ２３の支持部２５と接触部形成部２７とが略水平状になっている。
このような初期状態において、作動部材３１を図示右方向の矢印Ｂ方向に移動操作すると、アクチュエータ２３の略３５度で傾斜する立上がり部２６が押圧されて下方に降下する。この時の立上がり部２６の降下量は、作動部材３１の矢印Ｂ方向の移動量より小さい。
【０００６】
そして、立上がり部２６が降下することで、略水平状の支持部２５が下方側に弾性変形して、図７に示すように、接触部形成部２７が矢印Ｃ方向に回動する。
このことにより、スイッチ操作部３０が接触部形成部２７により筐体２１内部に押し込まれて、筐体２１内部のスイッチ回路がＯＦＦからＯＮに切り換わるようになっている。
また、スイッチ操作部３０を押し込んだ状態から、作動部材３１を矢印Ｂと逆方向に移動させると、スイッチ操作部３０の押し込みが解除され、アクチュエータ２３が自身の弾性力で図６に示す初期状態に復帰する。
このことにより、内部のスイッチ回路がＯＦＦするようになっている。
【特許文献１】特開２００４−３１１０９１号公報
【発明の開示】
【発明が解決しようとする課題】
【０００７】
しかし、従来のスイッチ装置２０のアクチュエータ２３は、立上げ部２６の角度Ａが略３５度に形成しているので、作動部材３１の矢印Ｂ方向の移動量より立上がり部２６の回動量が小さい。
そのために、スイッチ操作部３０を筐体２１内部に押し込むスイッチング操作時の作動部材３１の矢印Ｂ方向への移動量が大きくなる問題があった。
このような作動部材３１の移動量が大きいと、スイッチ操作部３０の押し込み速度が遅くなり、スイッチング操作時の応答速度が遅くなるおそれがあった。
【０００８】
また、アクチュータ２３は、取付脚部２４と、この取付脚部２４を略直角の水平状に屈曲した支持部２５と、この支持部２５の先部を上方に角度Ａ（例えば３５度）屈曲形成した立上がり部２６と、この立上がり部２６の先側に形成した接触部形成部２７と、この接触部形成部２７の表面側に突出形成した作動体接触部２８とで構成されている。そのために、アクチュエータ２３の加工が複雑となる問題があった。
本発明は、前述したような課題を解決し、移動量の小さな作動部材でスイッチング操作時の応答速度を向上できると共に、構造が簡単で製造が容易なアクチュエータを用いたスイッチ装置を提供することを目的とする。
【課題を解決するための手段】
【０００９】
前記課題を解決するための第１の手段として本発明のスイッチ装置は、内部にスイッチ回路が形成された筐体と、一端部側に支持部が形成されて他端部側が自由端状に形成されたアクチュエータと、前記筐体の一方の側壁から外部に所定高さで突出して前記アクチュエータの回動により前記筐体内部に押し込まれて前記スイッチ回路を切り換え可能なスイッチ操作部とを備え、
前記アクチュエータには、外部の作動部材が押圧操作可能な押圧部が形成され、前記支持部を前記筐体に回動可能に支持した状態で、前記作動部材を前記一方の側壁と平行な一方向に移動させると、前記押圧部が前記一方の側壁に近づく方向に押圧されて前記アクチュエータが前記支持部を支点として回動可能になっており、前記作動部材を一方向に移動させて前記アクチュエータを回動させた時の前記押圧部の回動量が、前記作動部材の前記一方向への移動量よりも大きくなるようにしたことを特徴とする。
また、前記課題を解決するための第２の手段として、前記アクチュエータは、弾性を有する板状部材からなり、前記押圧部は、前記一端部側と前記他端部側との間に、前記筐体の一方の側壁から離れる方向に逆Ｖ字状に突出形成した凸部からなることを特徴とする請求項１記載のスイッチ装置。
【００１０】
また、前記課題を解決するための第３の手段として、前記凸部は、前記一端部側に対する突出角度（α）が４５度以上に形成されていることを特徴とする。
また、前記課題を解決するための第４の手段として本発明の第２の実施の形態のスイッチ装置は、内部にスイッチ回路が形成された筐体と、一端部側に支持部が形成されて他端部側が自由端状に形成されたアクチュエータと、前記筐体の一方の側壁から外部に所定高さで突出して前記アクチュエータの回動により前記筐体内部に押し込まれて前記スイッチ回路を切り換え可能なスイッチ操作部とを備え、前記アクチュエータには、外部の作動部材が押圧操作可能な押圧部が形成され、前記支持部を前記筐体に回動可能に支持した状態で、前記作動部材を前記一方の側壁と平行な一方向に移動させると、前記押圧部が前記一方の側壁に近づく方向に押圧されて前記アクチュエータが前記支持部を支点として回動可能になっており、前記アクチュエータの前記他端部側には、前記他端部側を前記一方の側壁から離れる方向に弾性付勢する付勢部材が配設され、
前記操作部材を、前記一方向に移動させて前記押圧部を押圧した状態から前記一方向と反対方向の他方向に戻すと、前記弾性部材の付勢力で前記アクチュエータが前記一方の側壁から離れる方向に回動することを特徴とする。
また、前記課題を解決するための第５の手段として、前記アクチュエータは、弾性を有する板状部材からなり、前記付勢部材は、前記他端部側の一部を前記筐体の前記一方の側壁側に片持ち状に切り曲げ形成したことを特徴とする。
【００１１】
また、前記課題を解決するための第６の手段として、前記筐体の一方の側壁には、前記付勢部材の自由端部が当接可能な当接部材が配設され、前記作動部材によって前記押圧部が前記一方の側壁に近づく方向に押圧されると、前記付勢部材の前記自由端部が前記当接部材によって動きが規制されることを特徴とする。
また、前記課題を解決するための第７の手段として、前記付勢部材の前記自由端部を前記当接部材に当接した状態で、前記作動部材を前記一方向に移動させて前記押圧部を押圧すると、前記付勢部材が反転して前記アクチュエータの前記他端部側に対する付勢力が弱くなり、前記他端部側が前記スイッチ操作部を前記筐体内部に押し込む方向に弾性変形することを特徴とする。
【発明の効果】
【００１２】
本発明の第１の実施の形態のスイッチ装置のアクチュエータには、外部の作動部材が押圧操作可能な押圧部が形成され、支持部を筐体に回動可能に支持した状態で、作動部材を一方の側壁と平行な一方向に移動させると、押圧部が一方の側壁に近づく方向に押圧されてアクチュエータが支持部を支点として回動可能になっており、作動部材を一方向に移動させてアクチュエータを回動させた時の押圧部の回動量が、作動部材の一方向への移動量よりも大きくなるようにしたので、作動部材の小さな移動量で押圧部を大きく回動させることができ、スイッチ操作部を迅速に押し下げることができる。
そのために、筐体内部のスイッチ回路切り換えの応答速度を向上できる。
また、アクチュエータは、弾性を有する板状部材からなり、押圧部は、一端部側と他端部側との間に、筐体の一方の側壁から離れる方向に逆Ｖ字状に突出形成した凸部からなるので、プレス加工等で凸部を容易に形成することができ、アクチュエータの製造が容易である。
また、凸部は、一端部側に対する突出角度（α）が４５度以上に形成されているので、作動部材の移動量より押圧部である凸部の回動量を確実に大きくできる。そのために、スイッチ回路切り換えの応答速度を向上できる。
【００１３】
また、本発明の第２の実施の形態のアクチュエータには、外部の作動部材が押圧操作可能な押圧部が形成され、支持部を筐体に回動可能に支持した状態で、作動部材を一方の側壁と平行な一方向に移動させると、押圧部が一方の側壁に近づく方向に押圧されてアクチュエータが支持部を支点として回動可能になっており、アクチュエータの他端部側には、他端部側を一方の側壁から離れる方向に弾性付勢する付勢部材が配設され、操作部材を、一方向に移動させて押圧部を押圧した状態から一方向と反対方向の他方向に戻すと、弾性部材の付勢力でアクチュエータが一方の側壁から離れる方向に回動するので、スイッチ押圧部の復帰力が弱くてもアクチュエータを確実に初期状態に戻すことができる。
また、アクチュエータは、弾性を有する板状部材からなり、付勢部材は、他端部側の一部を筐体の一方の側壁側に片持ち状に切り曲げ形成したので、付勢部材をアクチュエータに一体形成でき、組立性が良い。
【００１４】
また、筐体の一方の側壁には、付勢部材の自由端部が当接可能な当接部材が配設され、作動部材によって押圧部が一方の側壁に近づく方向に押圧されると、付勢部材の自由端部が当接部材によって動きが規制されるので、当接部材に自由端部を当接させることで、付勢部材の付勢力が大きくなり、更に確実にアクチュエータを初期状態に戻すことができる。
【００１５】
また、付勢部材の自由端部を当接部材に当接した状態で、作動部材を一方向に移動させて押圧部を押圧すると、付勢部材が反転してアクチュエータの他端部側に対する付勢力が弱くなり、他端部側がスイッチ操作部を筐体内部に押し込む方向に弾性変形するので、スイッチ操作部を更に迅速に筐体内部に更に押し込んでスイッチ回路切り換えの応答速度を更に向上できる。
【発明を実施するための最良の形態】
【００１６】
以下、本発明のスイッチ装置の第１、第２の実施の形態を図面に基づいて説明する。図１は本発明の第１の実施の形態のスイッチング操作前の側面図であり、図２は図１のスイッチング操作を説明する側面図であり、図３は本発明の第２の実施の形態のスイッチング操作前の側面図であり、図４、図５は図１のスイッチング操作を説明する側面図である。
【００１７】
まず、第１の実施の形態のスイッチ装置１は、図１に示すように、内部にスイッチ回路（図示せず）が形成された樹脂材料等の絶縁材料からなる筐体２が配設されている。この筐体２は、図示上部に一方の側壁２ａが形成され、図示下部に他方の側壁２ｂが形成されている。
前記筐体２の他方の側壁２ｂからは、内部のスイッチ回路に接続された複数の端子部３が延出形成されている。
また、筐体２の一方の側壁２ａの図示左側には、後述するアクチュエータ４を回動可能に支持する回動支持部２ｃが形成されている。
【００１８】
また、筐体２の回動支持部２ｃには、弾性を有する板状部材からなるアクチュータ４が回動可能に支持され、このアクチュエータ４は、図示左側の一端部側４ａに支持部４ｂが形成されて、支持部４ｂが筐体２の回動支持部２ｃに片持ち支持されている。そして、アクチュエータ４の図示右側の他端部側４ｃが自由端状に形成されている。前記一端部側４ａと他端部側４ｃとは、同一平面になるように形成されている。
また、アクチュエータ４は、一端部側４ａと他端部側４ｃとの間に、押圧部である凸部４ｄが形成され、この凸部４ｄは、筐体２の一方の側壁２ａから離れる方向の図示上方に逆Ｖ字状に突出形成されている。
【００１９】
前記凸部４ｄの突出角度αは、一端部側４ａの延長線Ｆに対して４５度以上に形成されている。
また、筐体２の一方の側壁２ａの図示右側には、所定高さで筐体２外部に突出するスイッチ操作部５が形成され、このスイッチ操作部５が筐体２内部に押し込まれると、筐体２内部のスイッチ回路が切り換わるようになっている。
また、アクチュエータ４の強度は、スイッチ操作部５を筐体２外部に弾性付勢する付勢力が強くても押し込み可能になっている。
そのために、アクチュエータを回動させてスイッチ操作部５を押し下げても、アクチュエータ４が変形しないような強度になっている。
【００２０】
また、本発明のスイッチ装置１の図示左上方には、外部の例えば自動車等に取り付けられたシートベルト装置のバックルに係合させて装着可能なタング等に支持可能な作動部材６が配設されている。
前記作動部材６は、筐体２の一方の側壁２ａと平行な矢印Ｄ方向に移動操作可能になっており、図１に示す初期状態における作動部材６は、先端部が上昇位置にあるアクチュエータ４の傾斜角度α（４５度以上）の凸部４ｄの斜面に接した状態になっている。                             
【００２１】
また、筐体２の一方の側壁２ａの図示右側には、筐体２外部側に所定高さで突出するように弾性付勢されたスイッチ操作部５が形成され、このスイッチ操作部５が筐体２内部に押し込まれると、筐体２内部のスイッチ回路が切り換わるようになっている。
このような本発明の第１の実施の形態のスイッチ装置１のスイッチング操作は、作動部材６を矢印Ｄ方向の一方向に移動操作すると、作動部材６の先端部が、一方の側壁２ａに近づく方向に凸部４ｄを押圧する。
【００２２】
すると、アクチュエータ４は、支持部４ｂを支点として矢印Ｅ方向に回動し、他端部側４ｃがスイッチ操作部５を下方の筐体２内部に押し込む。
このことにより、筐体２内部のスイッチ回路（図示せず）がＯＦＦからＯＮに切り換わる。
また、図２に示すように、凸部４ｄを下方に押圧操作した状態の作動部材６を、矢印Ｄと逆方向に戻すと、アクチュエータ４により矢印Ｅ方向に押圧されていたスイッチ操作部５が上昇して、筐体２内部のスイッチ回路がＯＮからＯＦＦに切り換わる。
前記スイッチ操作部５が初期状態に上昇するのに伴って、アクチュエータ４も図１に示すような初期状態に復帰する。
【００２３】
このような第１の実施の形態のスイッチ装置１は、押圧部である凸部４ｄの突出角度αが４５度以上に形成されているので、作動部材６を矢印Ｄの一方向に移動させて、アクチュエータ４を回動させた時の押圧部である凸部４ｄの回動量が、作動部材６の矢印Ｄの一方向への移動量より大きい。
そのために、作動部材６の矢印Ｄの一方向の移動量が小さくても、アクチュエータ４の矢印Ｅ方向への回動量を大きくでき、筐体２内部のスイッチ回路の切り換えの応答速度を向上できる。
【００２４】
このような本発明の第１の実施の形態のスイッチ装置１は、作動部材６の小さな移動量でアクチュエータ４を大きく回動させることができ、スイッチ操作部５の押し込み速度を速くしてスイッチング操作時の応答速度を向上できる。
また、アクチュエータ４は、一端部側４ａに支持部４ｂを形成すると共に、一端部側４ａと他端部側４ｃとの間に逆Ｖ字状の押圧部である凸部４ｄが形成したので、アクチュエータ４の構造が簡単でプレス等による製造が容易となる。
【００２５】
尚、本発明の第１の実施の形態では、アクチュエータ４が、スイッチ操作部５の上方への付勢力で初期状態の復帰することで説明したが、支持部４ｂ側に捻りコイルバネ（図示せず）等を配置して、アクチュエータ４を上方に付勢するようにしても良い。
また、作動部材６は、先端部をアール状にしたもので説明したが、先端部をアール状でなく角状にしたものでも良い。
【００２６】
また、本発明の第２の実施の形態のスイッチ装置１１を図３〜図５に基づいて説明する。第１の実施の形態と同じ構成のものは、第１の実施の形態と同じ番号を付して詳細な説明は省略する。
まず、本発明の第２の実施の形態のスイッチ装置１１は、アクチュエータ１２が、図３に示すように、左側の一端部側１２ａに支持部１２ｂが形成され、この支持部１２ｂが筐体２の回動支持部２ｃに片持ち支持されて、図示右側の他端部側１２ｃが自由端状に形成されている。
そして、一端部側１２ａと他端部側１２ｃとが、第１の実施の形態と同様に、同一平面になるように形成されている。
【００２７】
また、アクチュエータ１２は、一端部側１２ａと他端部側１２ｃとの間に、押圧部である凸部１２ｄが形成され、この凸部１２ｄは、筐体２の一方の側壁２ａから離れる方向の図示上方に逆Ｖ字状に突出形成されている。
前記凸部１２ｄの突出角度αは、一端部側１２ａの延長線Ｆに対して４５度以上に形成されている。
また、アクチュエータ１２は、弾性を有する板状部材、例えばリン青銅板あるいはステンレス板等の金属板からなり、他端部側１２ｃには、他端部側１２ｃを一方の側壁２ａから離れる方向（図示上方）に弾性付勢する付勢部材１３が一体形成されている。
【００２８】
前記付勢部材１３は、アクチュエータ１２の他端部側１２ｃの一部を一方の側壁２ａ側に片持ち状に切り曲げ形成している。
また、筐体２の一方の側壁２ａには、片持ち状の付勢部材１３の自由端部が当接可能な当接部材１４が固着されており、作動部材６を矢印Ｄ方向に移動させて、押圧部である凸部１２ｄを一方の側壁２ａに近づく方向の図示下方側に押圧すると、付勢部材１３は、自由端部が当接部材１４のストッパ部１４ａによって動きが規制されるようになっている。
【００２９】
このような本発明の第２の実施の形態のスイッチ装置１１のスイッチング操作は、作動部材６を矢印Ｄ方向の一方向に移動操作すると、作動部材６の先端部が、凸部１２ｄを押圧すると、凸部１２ｄが一方の側壁２ａに近づく方向の下方側に押圧される。
すると、アクチュエータ１２は、支持部１２ｂを支点として他端部側１２ｃが矢印Ｇ方向に回動して、スイッチ操作部５を下方の筐体２内部に押し込む。
同時に付勢部材１３の自由端部が、図４に示すように、当接部材１２のストッパ部１４ａによって動きが規制される。
【００３０】
この時のアクチュエータ４は、付勢部材１３によって他端部側１２ｃが一方の側壁２ａから離れる方向に弾性付勢されるが、付勢部材１３の付勢力は、他端部側１２ｃを上方に弾性変形させるほどではない。
次ぎに、図４に示す状態から、作動部材６を更に矢印Ｄの一方向に移動させると、アクチュエータ１２は、図５に示すように、凸部１２ｄが更に下方に押圧される。
このことにより、板状の付勢部材１３が上方に反転して、他端部側１２ｃを上方に付勢していた付勢力が急速に弱まる。
【００３１】
そして、アクチュエータ１２の他端部側１２ｃには、スイッチ操作部５を、更に筐体２内部に押し込む方向の付勢力が発生して、スイッチ操作部５が更に筐体２内部に押し込まれる。
また、図５に示すような、付勢部材１３が反転した状態から、作動部材６を矢印Ｄと逆方向の初期状態に戻すと、反転していた付勢部材１３が図４に示すような弾政変形状態に復帰して、アクチュエータ１２の他端部側１２ｃが上方に弾性付勢される。
このことにより、アクチュエータ１２は、付勢部材１３の付勢力で、他端部側１２ｃが上方に押し上げられて、図３に示すような、初期状態に自動復帰する。
【００３２】
このような本発明の第２の実施の形態のスイッチ装置１１は、作動部材６を矢印Ｄの一方向に移動させることで、付勢部材１３が反転してスイッチ操作部５を迅速に押し込むことができる。
また、凸部１２ｄを押圧して付勢部材１３が反転した状態の作動部材６を、矢印Ｄと反対方向の他方向に戻すことで、付勢部材１３が図４に示す状態に復帰して、アクチュエータ１２を迅速に初期状態に復帰させることができる。
そのために、本発明の第２の実施の形態は、第１の実施の形態よりも、更にスイッチング操作時の応答速度を向上できる。
【００３３】
尚、本発明の第２の実施の形態では、付勢部材１３がアクチュエータ１２の他端部側１２ｃを切り曲げして、アクチュエータ１２に一体化したもので説明したが、アクチュエータ１２とは別部材のコイルバネ等の付勢部材（図示せず）を、筐体２の一方の側壁２ａとアクチュエータ１２との間に配設したものでも良い。
また、付勢部材１３の自由端部を当接部材１４のストッパ部１４ａに当接させたもので説明したが、当接部材１２を配設しないで、付勢部材１３の自由端部を筐体２の一方の側壁２ａに直接弾性付勢するようにしたものでも良い。
【図面の簡単な説明】
【００３４】
【図１】本発明の第１の実施の形態のスイッチ装置を説明する側面図である。
【図２】図１の動作を説明する側面図である。
【図３】本発明の第２の実施の形態のスイッチ装置を説明する側面図である。
【図４】図３の動作を説明する側面図である。
【図５】図３の動作を説明する側面図である。
【図６】従来のスイッチ装置を説明する側面図である。
【図７】図６の動作を説明する側面図である。
【符号の説明】
【００３５】
１  第１の実施の形態のスイッチ装置
２  筐体
２ａ  一方の側壁
２ｂ  他方の側壁
２ｃ  回動支持部  
３  端子部
４  アクチュエータ
４ａ  一端部側
４ｂ  支持部
４ｃ  他端部側
４ｄ  凸部
５  スイッチ操作部
６  作動部材
１１  第２の実施の形態
１２  アクチュエータ
１２ａ  一端部側
１２ｂ  支持部
１２ｃ  他端部側
１２ｄ  凸部
１３  付勢部材
１４  当接部材
１４ａ  ストッパ部
【図１】
2006351237.tif 000003
【図２】
2006351237.tif 000004
【図３】
2006351237.tif 000005
【図４】
2006351237.tif 000006
【図５】
2006351237.tif 000007
【図６】
2006351237.tif 000008
【図７】
2006351237.tif 000009